(57)【要約】
【課題】おむつ替えの際などに、乳幼児を立たせて上衣着用のまま、シャワーで乳幼児のおしりを洗うとき、上衣の裾が汚れたり濡れたりするのを確実に防止できる乳幼児用の上衣裾上げベルトを提供する。
【解決手段】ベルト本体１１は、防水性を有し、乳幼児の胴体に巻き付け可能な長さを有している。弾性体１２は、ベルト本体１１の長さ方向に沿った両方の縁部に各縁部を伸縮可能に設けられている。１対の面ファスナー１３ａ，１３ｂは、ベルト本体１１の互いに反対面に設けられ、ベルト本体１１を乳幼児の胴体に巻き付けたとき互いに着脱可能である。
【選択図】図１
0003100930.tif 000002
【実用新案登録請求の範囲】
【請求項１】
防水性を有し、乳幼児の胴体に巻き付け可能な長さを有するベルト本体と、
前記ベルト本体の長さ方向に沿った両方の縁部に各縁部を伸縮可能に設けられた弾性体と、
前記ベルト本体の互いに反対面に設けられ、前記ベルト本体を乳幼児の胴体に巻き付けたとき互いに着脱可能な１対の面ファスナーとを、
有することを特徴とする乳幼児用の上衣裾上げベルト。
【考案の詳細な説明】
【技術分野】
【０００１】
本考案は、おむつ替え時および上衣着用のままシャワー等で乳幼児のおしりを洗いたいとき、上衣の裾が汚れたり濡れたりするのを防ぐため、上衣の裾をまくり上げて固定しておくための乳幼児用の上衣裾上げベルトに関する。
【背景技術】
【０００２】
従来、おむつ替えのとき上衣の裾をまくり上げて固定しておくものとして、樹脂成型品のクリップを中綿と生地とでくるみ、その上面にぬいぐるみの頭部を取り付けたおむつ替え用の服クリップがある（例えば、特許文献１参照）。
【０００３】
【特許文献１】登録実用新案第３０４２６３０号公報
【考案の開示】
【考案が解決しようとする課題】
【０００４】
しかしながら、特許文献１に記載のおむつ替え用の服クリップは、１箇所だけで固定すると、乳幼児が動いたとき上衣の裾がはずれやすく、裾を汚すおそれがあり、また、シャワーをかけて乳幼児のおしりを洗うときに、裾を濡らしやすいという課題があった。そこで、数箇所で固定するようにすると、すばやく固定できず、手間がかかることになる。また、乳幼児を立たせて上衣着用のまま、服クリップで裾を固定した状態でシャワーをかけて乳幼児のおしりを洗うと、服クリップが濡れて乾きにくくなる。
【０００５】
本考案は、このような従来の課題に着目してなされたもので、おむつ替えの際などに、乳幼児を立たせて上衣着用のまま、シャワーで乳幼児のおしりを洗うとき、上衣の裾が汚れたり濡れたりするのを確実に防止できる乳幼児用の上衣裾上げベルトを提供することを目的とする。
【課題を解決するための手段】
【０００６】
上記目的を達成するために、本考案に係る乳幼児用の上衣裾上げベルトは、防水性を有し、乳幼児の胴体に巻き付け可能な長さを有するベルト本体と、前記ベルト本体の長さ方向に沿った両方の縁部に各縁部を伸縮可能に設けられた弾性体と、前記ベルト本体の互いに反対面に設けられ、前記ベルト本体を乳幼児の胴体に巻き付けたとき互いに着脱可能な１対の面ファスナーとを、有することを特徴とする。
【０００７】
本考案に係る乳幼児用の上衣裾上げベルトは、おむつ替えの際などに、乳幼児を立たせて上衣着用のまま、シャワーで乳幼児のおしりを洗うとき、乳幼児の上衣の裾をまくり上げて固定しておくために使用される。上衣を着せたまま乳幼児のおしりを洗いたいとき、乳幼児の上衣の裾をまくり上げ、裾を包むようにしてベルト本体を乳幼児の胴体に巻き付けたならば、面ファスナーで固定する。このとき、ベルト本体の縁部に設けられた弾性体を伸ばし、上衣の裾を包んだまま縁部で胴体を締め付けるようにする。これにより、シャワーで乳幼児のおしりを洗うとき、乳幼児が動いても、裾が落ちてシャワーで濡れるのを防ぐことができ、上衣を濡らさずに容易におしりを洗うことができる。なお、ベルト本体は防水性のため、濡れても内部の上衣まで浸透するのを防ぐことができ、また、付着した汚れを拭き取るのが容易である。おむつ替えが終わったならば、面ファスナーを剥がして乳幼児からベルト本体を外す。使用しないときには、畳んでコンパクトにして容易に持ち運ぶことができる。
【０００８】
本考案に係る乳幼児用の上衣裾上げベルトは、乳幼児が立ったままで上衣の裾を垂れ下がらないように包むことができるので、足を通してはくタイプのパンツ型のおむつの交換を容易に行うことができる。
【０００９】
ベルト本体は、ナイロンその他の化繊素材の防水性の布から成ることが好ましい。また、ベルト本体の全体が伸縮性を有していてもよい。ベルト本体は、保温性の高い素材から成っていてもよく、また、内側の面に保温性の木綿生地が縫い付けられたり貼り付けられたりしていてもよい。この場合、保温性の木綿生地は、縫い付けられていることが好ましい。保温性の木綿生地を設けた場合、乳幼児の下半身の着衣を脱がせた際に、乳幼児の腹部を保温し、腹部が冷えるのを防ぐことができる。なお、上衣裾上げベルト、ベルト本体など、本明細書において、「ベルト」の語は、「帯」を含む広い意味を有している。
【考案の効果】
【００１０】
本考案によれば、おむつ替えの際などに、乳幼児を立たせて上衣着用のまま、シャワーで乳幼児のおしりを洗うとき、上衣の裾が汚れたり濡れたりするのを確実に防止できる乳幼児用の上衣裾上げベルトを提供することができる。
【考案を実施するための最良の形態】
【００１１】
以下、図面に基づき本考案の実施の形態を説明する。
図１および図２は、本考案の実施の形態の乳幼児用の上衣裾上げベルトを示している。
図１に示すように、乳幼児用の上衣裾上げベルト１０は、ベルト本体１１と弾性体１２と１対の面ファスナー１３ａ，１３ｂとを有している。
【００１２】
ベルト本体１１は、防水性のナイロン素材から成る。ベルト本体１１は、乳幼児１の胴体に巻き付け可能な長さ、および一定の幅を有している。
弾性体１２は、ゴム紐から成る。弾性体１２は、ベルト本体１１の長さ方向に沿った両方の縁部に伸縮可能に設けられている。弾性体１２は、各縁部を袋状に折り曲げて縫い付けた袋の中に収容され、両端部がベルト本体１１に縫い付けられている。
【００１３】
１対の面ファスナー（商標「マジックテープ」）１３ａ，１３ｂは、ベルト本体１１の両端で、ベルト本体１１の互いに反対面に設けられている。面ファスナー１３ａ，１３ｂは、ベルト本体１１の幅方向に沿って縫い付けられている。なお、面ファスナー１３ａ，１３ｂは、ベルト本体１１に市販の接着材により貼り付けられていてもよい。面ファスナー１３ａ，１３ｂは、ベルト本体１１を乳幼児１の胴体に巻き付けたとき、互いに着脱可能となっている。一方の面ファスナー１３ａは、乳幼児１の体格に合わせて締付けを調節できるよう、ベルト本体１１の一端から幅広に貼り付けられている。これにより、乳幼児用の上衣裾上げベルト１０は、乳幼児１の体格の違いにかかわらず、使用可能である。
【００１４】
次に、作用について説明する。
乳幼児用の上衣裾上げベルト１０は、おむつ替えの際や、おむつを外したトイレトレーニングの際、下痢ぎみの際など、乳幼児１を立たせて上衣着用のまま、シャワーで乳幼児１のおしりを洗うとき、乳幼児１の上衣の裾をまくり上げて固定しておくために使用される。図２に示すように、おむつ替えのとき、乳幼児１の上衣の裾をまくり上げ、裾を包むようにしてベルト本体１１を乳幼児１の胴体に巻き付けたならば、面ファスナー１３ａ，１３ｂで固定する。このとき、ベルト本体１１の縁部に設けられた弾性体１２を伸ばし、上衣の裾を包んだまま縁部で胴体を締め付けるようにする。これにより、シャワーで乳幼児１のおしりを洗うとき、乳幼児１が動いても、裾が落ちてシャワーで濡れるのを防ぐことができる。また、シャワーの水が飛び跳ねたり、誤ってシャワーが上衣の方に向けられたりしても、上衣を濡らすことなく、容易におしりを洗うことができる。
【００１５】
なお、ベルト本体１１は防水性のため、濡れても内部の上衣まで浸透するのを防ぐことができ、また、付着した汚れを拭き取るのが容易である。おむつ替えが終わったならば、面ファスナー１３ａ，１３ｂを剥がして乳幼児１からベルト本体１１を外す。使用しないときには、畳んでコンパクトにして容易に持ち運ぶことができる。
【００１６】
乳幼児用の上衣裾上げベルト１０は、乳幼児１が立ったままで上衣の裾を垂れ下がらないように包むことができるので、特に、足を通してはくタイプのパンツ型のおむつの交換を容易に行うことができる。
【００１７】
なお、ベルト本体１１の内側の面に保温性の木綿生地が縫い付けられたり貼り付けられたりしている場合には、乳幼児の下半身の着衣を脱がせた際に、乳幼児１の腹部を保温し、腹部が冷えるのを防ぐことができる。また、木綿生地は触感がやわらかいので、胴体に巻き付けたとき、乳幼児１が嫌がりにくい。
【図面の簡単な説明】
【００１８】
【図１】本考案の実施の形態の乳幼児用の上衣裾上げベルトを示す正面図である。
【図２】図１に示す乳幼児用の上衣裾上げベルトの取付状態を示す斜視図である。
【符号の説明】
【００１９】
１    乳幼児
１０  乳幼児用の上衣裾上げベルト
１１  ベルト本体
１２  弾性体
１３ａ，１３ｂ  面ファスナー
【図１】
0003100930.tif 000003
【図２】
0003100930.tif 000004